(57)【要約】【課題】本発明は、軽量で取扱い易く、接触時にダイレクトの冷たさやじんわりとした冷感を得ることができ、クッション性を有し、就寝時の睡眠補助効果を快適に得ることが可能である接触冷感マットを提供する。【解決手段】本発明の接触冷感マット１は、熱可塑性エラストマーからなる芯材シート２と、この芯材シート２の表面側を覆う表生地としての接触冷感生地３と、芯材シート２の裏面側に配置する中材としての中わた４、及び不織布５と、芯材シート２の裏面側を中材とともに覆う裏生地としてのメッシュ生地６と、前記接触冷感生地３、メッシュ生地４の外周縁部全体を覆うヘム７と、により接触冷感マット本体を構成し、前記接触冷感マット本体全体にキルティング部８を設けた構成としたものである。【選択図】図３
2017042557.tif 000002
【特許請求の範囲】
【請求項１】
熱可塑性エラストマーからなる芯材シートと、
この芯材シートの表面側を覆う表生地としての接触冷感生地と、
前記芯材シートの裏面側に配置する中材としての中わた、及び不織布と、
前記芯材シートの裏面側を前記中材とともに覆う裏生地としてのメッシュ生地と、
前記接触冷感生地、メッシュ生地の外周縁部全体を覆うヘムと、
により接触冷感マット本体を構成し、
前記接触冷感マット本体全体にキルティング部を設けたことを特徴とする接触冷感マット。
【請求項２】
熱可塑性エラストマーからなる芯材シートと、
この芯材シートの表面側を覆う表生地としての組成がナイロン、ポリエステル、レーヨンで、単位重量が８０〜５００（ｇ／ｍ２）である接触冷感生地と、
前記芯材シートの裏面側に配置する中材としての組成が例えばポリエステル１００％で、単位重量が１５〜２５００（ｇ／ｍ２）の中わた、及び単位重量が１０〜８０（ｇ／ｍ２）不織布と、
前記芯材シートの裏面側を前記中材とともに覆う裏生地としての組成がポリエステル１００％で、単位重量が３０〜９００（ｇ／ｍ２）であるメッシュ生地と、
前記接触冷感生地、メッシュ生地の外周縁部全体を覆う組成が共通ポリエステル、綿からなるヘムと、
により接触冷感マット本体を構成し、
前記接触冷感マット本体全体にキルティング部を設けたことを特徴とする接触冷感マット。
【請求項３】
前記接触冷感マット本体は、寸法が３０×４０ｃｍの枕サイズ、４０×７０ｃｍのスモールサイズ、９０×９０ｃｍのミディアムサイズ、９０×１４０ｃｍのロングサイズのいずれかであることを特徴とする請求項１又は２記載の接触冷感マット。
【請求項４】
熱可塑性エラストマーからなる芯材シートと、
この芯材シートの表面側を覆う表生地としての接触冷感生地と、
前記芯材シートの裏面側に配置する中材としての中わた、及び不織布と、
前記芯材シートの裏面側を前記中材とともに覆う裏生地としてのワッフル生地と、
前記接触冷感生地、ワッフル生地の外周縁部全体を覆うヘムと、
により接触冷感マット本体を構成し、
前記接触冷感マット本体全体にキルティング部を設けたことを特徴とする接触冷感マット。
【請求項５】
熱可塑性エラストマーからなる芯材シートと、
この芯材シートの表面側を覆う表生地としての組成がナイロン、ポリエステル、レーヨンで、単位重量が８０〜５００（ｇ／ｍ２）である接触冷感生地と、
前記芯材シートの裏面側に配置する中材としての組成がポリエステル１００％で、単位重量が１５〜２５００（ｇ／ｍ２）の中わた、及び単位重量が１０〜８０（ｇ／ｍ２）不織布と、
前記芯材シートの裏面側を前記中材とともに覆う裏生地としての組成がポリエステル１００％で、単位重量が５０〜６００（ｇ／ｍ２）のワッフル生地と、
前記接触冷感生地、ワッフル生地の外周縁部全体を覆う組成が共通ポリエステル、綿からなるヘムと、
により接触冷感マット本体を構成し、
前記接触冷感マット本体全体にキルティング部を設けたことを特徴とする接触冷感マット。
【請求項６】
前記接触冷感マット本体は、寸法が７０×４０ｃｍのスモールサイズであることを特徴とする請求項４又は５記載の接触冷感マット。
【発明の詳細な説明】
【技術分野】
【０００１】
本発明は、接触冷感マットに関し、詳しくは、夏季等の高温季において暑さを感じた際に例えば敷き布団の上に敷いたり、膝に掛けたりして快適な涼感を得ることができる接触冷感マットに関するものである。
【背景技術】
【０００２】
夏場等の高温季において、快適な睡眠状態が得られるようにすることを目的として、従来から使用者の身体を冷やす冷感マットが提案され、実用化されている。
従来、このような冷感マットは、高吸水性樹脂に水を吸収させて調製されるジェルをフィルム材等からなる外装材内に収納し、布製のカバーで覆うように構成したものが多い。
【０００３】
しかし、このような冷感マットは、内装物として水分の多いジェルを含むことから、重量が大きくなり折り畳み、展開等の取扱いが不便である。
【０００４】
特許文献１には、熱伝導性ゴムシートの両面に不織布を積層して形成して構成した冷感マットが提案されている。
【０００５】
しかし、この特許文献１の冷感マットの場合、上述したような水分の多いジェルを含まず軽量化は可能であると考えられるが、熱伝導性ゴムシートの両面に不織布を配置した構成であることから、接触冷感でダイレクトの冷たさ、じんわりとした冷感を感じることはできず、また、クッション性にも乏しく、快適な使用感の実現は難しいが実情である。
【先行技術文献】
【特許文献】
【０００６】
【特許文献１】特許第５５４３１６８号公報
【発明の概要】
【発明が解決しようとする課題】
【０００７】
本発明が解決しようとする問題点は、軽量で取扱い易く、接触時にダイレクトの冷たさやじんわりとした冷感を得ることができ、クッション性を有し、夏季は勿論のこと春、秋の高温季等３シーズンにわたって就寝時の睡眠補助効果を得ることが可能であるような接触冷感マットが従来存在しない点である。
【課題を解決するための手段】
【０００８】
本発明に係る接触冷感マットは、熱可塑性エラストマーからなる芯材シートと、この芯材シートの表面側を覆う表生地としての接触冷感生地と、前記芯材シートの裏面側に配置する中材としての中わた、及び不織布と、前記芯材シートの裏面側を前記中材とともに覆う裏生地としてのメッシュ生地と、前記接触冷感生地、メッシュ生地の外周縁部全体を覆うヘムと、により接触冷感マット本体を構成し、前記接触冷感マット本体全体にキルティング部を設けたことを最も主要な特徴とする。
【発明の効果】
【０００９】
請求項１、２記載の発明によれば、芯材シートによる熱吸収と、接触冷感生地による熱の拡散、放熱作用とにより、極めて優れた冷感持続性能を発揮するとともに、優れた冷却戻り速度特性を発揮し使用停止後短時間の後に再使用可能であり、更に、軽量化が可能でクッション性を有し良好な使用感を得ることもできる従来にない顕著な効果を奏する接触冷感マットを実現し提供することができる。
【００１０】
請求項３記載の発明によれば、枕用、敷き布団又はベッド等の上に敷く用途として請求項１、２記載の発明と同様な顕著な効果を奏する接触冷感マットを実現し提供することができる。
【００１１】
請求項４，５記載の発明によれば、請求項１、２記載の発明と同様な効果を奏し、かつ、ワッフル生地による良好な接触感を得ることもできる従来にない顕著な効果を奏する接触冷感マットを実現し提供することができる。
【００１２】
請求項６記載の発明によれば、例えば膝掛けとして用いることができるスモールサイズとして請求項４、５記載の発明と同様な顕著な効果を奏する接触冷感マットを実現し提供することができる。
【図面の簡単な説明】
【００１３】
【図１】図１は本発明の実施例１に係る枕サイズの接触冷感マットを示し、図１（ａ）は接触冷感マットの表面図、図１（ｂ）は接触感マットの裏面図である。
【図２】図２は本実施例１に係る接触冷感マットの断面を概念的に表した概略部分断面図である。
【図３】図３は本実施例１に係る接触冷感マットのコーナー部を示す部分表面図である。
【図４】図４は本実施例１に係る触冷感マットのメッシュ構造とした裏地の部分裏面図である。
【図５】図５は本実施例１に係る接触冷感マット１に関する温度測定試験、サーモグラフィ温度測定試験の試験報告書における試験内容等を示す図である。
【図６】図６は本実施例１に係る接触冷感マットを敷き布団上に敷いた場合と、敷き布団のみの場合とについて、被者が実際に９０分にわたって使用した状態における接触冷感マットと敷き布団のみとの１０分間隔毎の温度測定結果を示す図である。
【図７】図７は本実施例１に係る接触冷感マットを敷き布団上に敷いた場合と、敷き布団のみの場合とについて、半袖Ｔシャツを着用した被検者が各々９０分にわたって背中を下にして寝た態様で、被検者の背中をサーモグラフィにより半袖Ｔシャツの外側から撮影したサーモグラフィ温度測定結果を示す図である。
【図８】図８は本発明の実施例１に係る接触冷感マットと、他社ジェルマットとの冷却戻り速度試験を示す図である。
【図９】図９は本発明の実施例１の変形例に係る（ミドル又は）ミディアムサイズの接触冷感マットを示し、図９（ａ）は変形例の接触冷感マットの表面図、図９（ｂ）は変形例の接触感マットの裏面図である。
【図１０】図１０は本発明の実施例１の別の変形例に係る（ミドル又は）ミディアムサイズの接触冷感マットを示し、図１０（ａ）は別の変形例の接触冷感マットの表面図、図１０（ｂ）は別の変形例の接触感マットの裏面図である。
【図１１】図１１は本発明の実施例２に係る例えば膝掛け用としてのスモールサイズの接触冷感マットを示し、図１１（ａ）は同スモールサイズの接触冷感マットの表面図、図１１（ｂ）は同スモールサイズの接触感マットの裏面図である。
【図１２】図１２は本実施例２に係る接触冷感マットの断面を概念的に表した概略部分断面図である。
【図１３】図１３は本実施例２に係る接触冷感マットの裏面を構成するワッフル生地の部分裏面図である。
【発明を実施するための形態】
【００１４】
本発明は、軽量で取扱い易く、接触時にダイレクトの冷たさやじんわりとした冷感を得ることができ、クッション性を有し、夏季は勿論のこと春、秋の高温季等３シーズンにわたって就寝時の睡眠補助効果を得ることが可能である接触冷感マットを提供するという目的を、熱可塑性エラストマーからなる芯材シートと、この芯材シートの表面側を覆う表生地としての組成がナイロン、ポリエステル、レーヨンで、単位重量が８０〜５００（ｇ／ｍ２）である接触冷感生地と、前記芯材シートの裏面側に配置する中材としての組成が例えばポリエステル１００％で、単位重量が１５〜２５００（ｇ／ｍ２）の中わた、及び単位重量が１５（ｇ／ｍ２）不織布と、前記芯材シートの裏面側を前記中材とともに覆う裏生地としての組成がポリエステルで、単位重量が３０〜９００（ｇ／ｍ２）であるメッシュ生地と、前記接触冷感生地、メッシュ生地の外周縁部全体を覆う組成が共通ポリエステル、綿からなるヘムと、により接触冷感マット本体を構成し、前記接触冷感マット本体全体にキルティング部を設けたことにより実現した。
【実施例】
【００１５】
以下、本発明の実施例に係る接触冷感マットについて添付の図面を参照して詳細に説明する。
【００１６】
（実施例１）
本実施例１に係る接触冷感マット１は、図１（ａ）、図１（ｂ）及び図２に示すように、例えば枕用として横寸法４０ｃｍ、縦寸法３０ｃｍの平面視長方形状を呈する外形に形成したものである。
【００１７】
本実施例１に係る接触冷感マット１は、熱可塑性エラストマー（Ｔｈｅｒｍｏ  Ｐｌａｓｔｉｃ  Ｅｌａｓｔｏｍｅｒｓ）からなる平面視長方形状を呈する芯材シート２と、この芯材シート２の表面側を覆うように配置する表生地としての接触冷感生地３と、前記芯材シート２の裏面側に配置する中材としての中わた４、及び不織布５と、前記芯材シート２の裏面側を覆う裏生地としてのメッシュ生地６と、前記接触冷感生地３、メッシュ生地６の外周縁部全体を覆うように縫製により取り付け前記接触冷感生地３、メッシュ生地６とともに前記芯材シート２、中わた４、及び不織布５を包み込むヘム７と、により接触冷感マット本体を構成している。
本実施例では、前記熱可塑性エラストマーからなる芯材シート２の厚みを０．５〜５．０ｍｍに形成しているが、本発明は芯材シート２の厚さを当該実施例に限定するものではない。また、芯材シート２には、通気性を良くするために、芯材シート２に等間隔で穴（図示せず）を開けて実施しても良い。更に、図示する実施例では、接触冷感マット１として形成したものを示しているが、本発明では、接触冷感マット１の他、例えば底部分を芯材シート２でもって構成したスリッパ、芯材シート２でもって構成した抱き枕として実施することもできる。
前記表生地としての接触冷感生地３は、例えば、麻、綿、ポリエステルと木綿の混紡、ポリエステル等を用いて生地として形成しても良い。
本実施例では、前記中材としての中わた４、及び不織布５は、単位重量が１５〜２５００（ｇ／ｍ２）の中わた、及び単位重量が１０〜８０（ｇ／ｍ２）不織布とをもって構成している。
前記芯材シートの裏面側を前記中材とともに覆う裏生地としての組成は、ポリエステル１００％で、単位重量が３０〜９００（ｇ／ｍ２）であるメッシュ生地をもって構成している。
【００１８】
そして、前記接触冷感マット１全体に対してキルティング加工によるキルティング部８を設けて、前記芯材シート２、中わた４、及び不織布５が位置ずれしないように構成している。
【００１９】
前記芯材シート２は、スチレン系、オレフィン系、塩ビ系、ウレタン系、アミド系などの各種熱可塑性エラストマーのうちから選定した熱可塑性エラストマーに鉱物を含有しシート状に成形したものである。
【００２０】
前記接触冷感生地３は、組成が、例えばナイロン（例えば７５％）、ポリエステル（例えば２５％）で、単位重量が８０〜５００（ｇ／ｍ２）であるように形成している。
なお、本発明は、前記芯材シート２の表面側を覆う表生地としての組成がナイロン、ポリエステル、レーヨンで、単位重量が８０〜５００（ｇ／ｍ２）であるように形成して実施ても良い。
【００２１】
前記中わた４は、組成が例えばポリエステル１００％で、単位重量が１５〜２５００（ｇ／ｍ２）で、クッション性を有し、就寝時の睡眠補助効果を快適に得ることが可能である接触冷感マットとして形成している。
前記中材としては、上述した中わた４及び図示しないがナイロンタフタ（ナイロン糸で織ったタフタ）により構成することもできる。
【００２２】
前記不織布５は、織らない布状のものを意味し、繊維を一定方向やランダムに集積して接着樹脂で化学的に結合させたり、機械的に絡ませたり、圧力をかけた水流で絡ませたり、熱融着繊維で結合させたりすることにより形成したものである。前記不織布５は、単位重量を３０〜９００（ｇ／ｍ２）としている。
【００２３】
前記メッシュ生地６は、組成が例えばポリエステル１００％で、単位重量が１５０（ｇ／ｍ２）であるように形成し、使用者の汗の発散性を良好なものとしている。
図示する一例の前記ヘム７は、組成が，例えば共通ポリエステル（例えば８０％）、綿（例えば２０％）の生地を用いたものである。
【００２４】
前記接触冷感マット１のコーナー部（隅部）の形状を図３に拡大して示し、また、前記接触冷感マット１における前記メッシュ生地６の部分形状を図４に拡大して示す。
【００２５】
次に、本実施例１に係る接触冷感マット１に関して実施したサーモグラフィ温度測定試験、及び冷却戻り速度の試験について図５乃至図８を参照して説明する。
【００２６】
図５は本実施例１に係る接触冷感マット１に関する温度測定試験、サーモグラフィ温度測定試験の試験報告書における試験内容等を示すものである。なお、詳細な試験条件、使用機器等は図５に示す通りである。
【００２７】
この温度測定試験は、前記接触冷感マット１を敷き布団上に敷いた場合と、敷き布団のみの場合とについて、半袖Ｔシャツを着用した被検者が各々９０分にわたって背中を下にして寝た場合の接触冷感マット１、敷き布団の温度測定を行ったものであり、その測定結果を図６に示す。
【００２８】
図６から明らかなように、前記接触冷感マット１の場合には、試験開始後１０分から約８０分に至るまで６０分以上にわたって略３６℃台の温度範囲となるのに対して、何も敷かない敷き布団の場合には試験開始後１０分から９０分に至る間略３７℃台となり、前記接触冷感マット１が優れた冷感持続性能を発揮することが判明した。
【００２９】
次に、サーモグラフィ温度測定は、前記接触冷感マット１を敷き布団上に敷いた場合と、敷き布団のみの場合とについて、半袖Ｔシャツを着用した被検者が各々９０分にわたって背中を下にして寝た場合において、被検者の背中を半袖Ｔシャツの外側から撮影したものであり、その結果を図７に示す。
【００３０】
図７から明らかなように、前記接触冷感マット１を使用した場合には、開始から３０分後、６０分後において被検者の背中は冷感がある状態（青色で示す）であるのに対して、前記接触冷感マット１を使用しない場合には、何等冷感を感じない状態（赤色で示す）であることが判明した。
【００３１】
以上から、前記接触冷感マット１の使用により被検者に対する顕著な冷感付与効果を与えることができることが判明した。
【００３２】
図８は、接触冷感マット１に関する冷却戻り速度の試験内容、試験結果を示すものであり、接触冷感マット１と図示しないが他社ジェルマットとを使用し、３８℃の環境下にこれらを１時間３０分以上置き、その後常温（２６℃±２℃）環境に静置した際に冷却されていく速度を１分毎にサーモグラフィで撮影し比較したものである。
【００３３】
図８から明らかなように、前記接触冷感マット１は３８℃の環境下から取り出し後僅か１分で冷える（青色で示す）のに対して、他社ジェルマットの場合には取り出し後５分経過してもなかなか冷えない（赤色で示す）ことが判明した。
【００３４】
この結果、前記接触冷感マット１の場合には、極めて優れた冷却戻り速度特性を発揮するものであり、一旦敷き布団上に敷いて使用に供した後でも、使用停止後１分程度の短時間の後に再使用可能になる。
【００３５】
以上説明した本実施例１に係る接触冷感マット１によれば、芯材シート２による熱吸収と、接触冷感生地３による熱の拡散、放熱作用とにより、極めて優れた冷感持続性能を発揮するとともに、上述した試験結果のように優れた冷却戻り速度特性を発揮することから使用停止後短時間の後に再使用可能になるという従来にない顕著な効果を奏するものである。
【００３６】
また、従来の水分を多量に含むジェル製品の場合のように水分を含んでいないのでこの接触冷感マット１自体を薄くて軽量に形成でき、実際の使用時の取り扱いが簡便であるとともに洗濯機で丸洗いすることも可能となる。
【００３７】
更に、表面は接触冷感生地３であることから、接触冷感でダイレクトの冷たさを感じることができ、裏面は中材入りメッシュ構造でじんわりと冷たく、また、中材によるクッション性もあり、枕用として使用することにより、夏季は勿論のこと春、秋の高温季等３シーズンにわたって就寝時の睡眠補助効果を得ることが可能となり、快適な使用感を実現することができる。
【００３８】
図９は、本実施例１に係る接触冷感マット１の変形例である接触冷感マット１Ａを示すものであり、この変形例の接触冷感マット１Ａは、図９（ａ）、図９（ｂ）に示すように、例えばＭサイズ（ミドル又はミディアムサイズ）として横寸法９０ｃｍ、縦寸法９０ｃｍの平面視正方形状を呈する外形に形成したものである。
なお、本発明に係る各接触冷感マット本体は、寸法が３０×４０ｃｍの枕サイズ、４０×７０ｃｍのスモールサイズ、９０×９０ｃｍのミディアムサイズ、或いは９０×１４０ｃｍのロングサイズのいずれでもっても構成できる。
【００３９】
また、前記接触冷感マット１Ａの各要素は実施例１に係る接触冷感マット１の場合と同様に構成している。
【００４０】
変形例の接触冷感マット１Ａによれば、実施例１に係る接触冷感マット１の場合と同様な効果を奏し、かつ、敷き布団やベッド上に設置して例えば上半身（背中部分）用として快適な使用感を得ることができる。
【００４１】
図１０は、本実施例１に係る接触冷感マット１の別の変形例である接触冷感マット１Ｂを示すものであり、この接触冷感マット１Ｂは、図１０（ａ）、図１０（ｂ）に示すように、例えばＬサイズ（ロングサイズ）として横寸法９０ｃｍ、縦寸法１４０ｃｍの平面視正方形状を呈する外形に形成したものである。
【００４２】
また、前記接触冷感マット１Ｂの各要素は実施例１に係る接触冷感マット１の場合と同様に構成している。
【００４３】
接触冷感マット１Ｂによれば、実施例１に係る接触冷感マット１の場合と同様な効果を奏し、かつ、敷き布団やベッド上に設置して例えば全身（背中、腰、下半身部分）用として快適な使用感を得ることができる。
【００４４】
（実施例２）
本発明の実施例２に係る接触冷感マット１Ｃについて図１１乃至図１３を参照して説明する。
【００４５】
なお、本実施例２に係る接触冷感マット１Ｃにおいて、実施例１に係る接触冷感マット１の場合と同一の要素には同一の符号を付し、その詳細な説明は省略する。
【００４６】
本実施例２に係る接触冷感マット１Ｃの基本構成は、基本的構成は実施例１に係る接触冷感マット１の場合と略同様であるが、例えば膝掛け用として横寸法７０ｃｍ、縦寸法４０ｃｍの平面視長方形状を呈する外形に形成し、或いは前記芯材シート２の裏面側を覆う裏生地としてのワッフル生地９を用いていることである。
【００４７】
前記接触冷感マット１Ｃは、図１１（ａ）、図１１（ｂ）、図１２に示すように、熱可塑性エラストマーからなる平面視長方形状を呈する芯材シート２と、この芯材シート２の表面側を覆うように配置する表生地としての接触冷感生地３と、前記芯材シート２の裏面側に配置する中材としての中わた４、及び不織布５と、前記芯材シート２の裏面側を覆う裏生地としてのワッフル生地９と、前記接触冷感生地３、ワッフル生地９の外周縁部全体を覆うように縫製により取り付け、前記接触冷感生地３、ワッフル生地９とともに前記芯材シート２、中わた４、及び不織布５を包み込むヘム７と、により接触冷感マット本体を構成している。
実施例２では、前記実施例１と同様に、前記芯材シート２の表面側を覆う表生地としての組成は、ナイロン、ポリエステルで組成する他、これにレーヨンを加えて組成でき、単位重量が８０〜５００（ｇ／ｍ２）である接触冷感生地をもって構成して実施することもできる。
また、実施例２では、前記芯材シートの裏面側に配置する中材としての組成がポリエステル１００％で、単位重量が１５〜２５００（ｇ／ｍ２）の中わた、及び単位重量が１０〜８０（ｇ／ｍ２）不織布と、前記芯材シートの裏面側を前記中材とともに覆う裏生地としての組成がポリエステル１００％で、単位重量が５０〜６００（ｇ／ｍ２）のワッフル生地と、前記接触冷感生地、ワッフル生地の外周縁部全体を覆う組成が共通ポリエステル、綿からなるヘムとをもって前記接触冷感マット本体を構成している。
更に、前記接触冷感マット本体は、寸法が７０×４０ｃｍのスモールサイズでもって構成することもできる。
【００４８】
そして、前記接触冷感マット１Ｃ全体に対してキルティング加工によるキルティング部８を設けて、前記芯材シート２、中わた４、及び不織布５が位置ずれしないように構成している。
【００４９】
前記中材としては、中わた４、及び図示しないがナイロンタフタにより構成することも可能である。
【００５０】
前記ワッフル生地９は、組成が例えばポリエステル１００％で、単位重量が５０〜６００（ｇ／ｍ２）となるように形成し、このワッフル生地９により例えば膝掛けとして使用した場合の接触感を良好なものとしている。このワッフル生地９の外観形態を図１３に示す。
【００５１】
本実施例２に係る接触冷感マット１Ｃによれば、実施例１に係る接触冷感マット１の場合と同様な効果を奏し、かつ、ワッフル生地９による良好な接触感を実現し、使用者が自己の膝上に掛けて例えば夏季等におけるデスクワーク等の際に良好な涼感効果を得ることが可能であり、快適な使用感を実現し得るようにしている。
【産業上の利用可能性】
【００５２】
本発明に係る接触冷感マットは、上述した場合の他、敷パット用、座布団用、車輌の座席シート用、愛玩動物用の小型敷き布団用、スリッパの底部分用、抱き枕用等、様々な各種用途に好適に使用することができる。
【符号の説明】
【００５３】
１    接触冷感マット
１Ａ  接触冷感マット
１Ｂ  接触冷感マット
１Ｃ  接触冷感マット
２    芯材シート
３    接触冷感生地
４    中わた
５    不織布
６    メッシュ生地
７    ヘム
８    キルティング部
９    ワッフル生地
【図２】
2017042557.tif 000003
【図６】
2017042557.tif 000004
【図１２】
2017042557.tif 000005
【図１】
2017042557.tif 000006
【図３】
2017042557.tif 000007
【図４】
2017042557.tif 000008
【図５】
2017042557.tif 000009
【図７】
2017042557.tif 000010
【図８】
2017042557.tif 000011
【図９】
2017042557.tif 000012
【図１０】
2017042557.tif 000013
【図１１】
2017042557.tif 000014
【図１３】
2017042557.tif 000015